(57)【要約】【課題】携帯用音響機器等の電子機器を工場から出荷し、輸送し、販売する際に用いられる包装箱であって、出荷先の国、地域等により大きさが異なる付属品を梱包する場合に、輸送時に発生する振動や衝撃に対する付属品の安定保持機能に悪影響を及ぼすことなく、しかも梱包部材の点数を増加させることなく、梱包部材の種類も増加させずに共通使用可能になる包装箱を提供する。【解決手段】付属品の収納空間を形成するように側板１１の上端に連設される補助板４８の両側の補助フラップ４２の先端側のコーナの部分を折曲げ線４４によって斜めに折曲げるようにし、この斜めの折曲げ部分４５によって画成される収納空間内に収納される付属品の位置規制を上記斜めの折曲げ部分４５によって行なうようにしたものである。【選択図】図５
2008150075.tif 000002
【特許請求の範囲】
【請求項１】
側板の上端に連設された補助板を内側に折込んで付属品の収納空間を形成するようにした包装箱において、
前記補助板が連設されている側板に隣接する両側の側板の上端に連設されている補助フラップまたは前記補助板の先端側のコーナの部分を斜めに折曲げ、該斜めの折曲げ部分によって前記収納空間内に収納される付属品の位置規制を行なうようにしたことを特徴とする包装箱。
【請求項２】
前記補助フラップまたは前記補助板の先端側のコーナの部分の折曲げ角度が前記補助フラップまたは前記補助板の先端部または側端縁に対して４５度の角度であることを特徴とする請求項１に記載の包装箱。
【請求項３】
互いに対向する一対の補助フラップの内の一方または両方の先端側のコーナの部分を斜めに折曲げることを特徴とする請求項１に記載の包装箱。
【請求項４】
前記補助板の先端側の一方または両方のコーナの部分を斜めに折曲げ、該折曲げ部分の内側に付属品を収納するようにしたことを特徴とする請求項１に記載の包装箱。
【請求項５】
側板の上端に連設された補助板を内側に折込んで付属品の収納空間を形成するようにした包装箱において、
前記補助板が連設されている側板に隣接する両側の側板の上端に連設されている補助フラップまたは前記補助板の先端側のコーナの部分を斜めに折曲げるとともに、前記補助板に折返し片を連設し、前記斜めの折曲げ部分と前記折返し片とによって前記収納空間内に収納される付属品の位置規制を行なうようにしたことを特徴とする包装箱。
【請求項６】
前記折返し片が前記補助板の先端部であって幅方向のほぼ中央部に形成されていることを特徴とする請求項５に記載の包装箱。
【請求項７】
電子機器が収納されるとともに、付属品が電源コードであることを特徴とする請求項１または請求項５に記載の包装箱。
【請求項８】
音響機器が収納されるとともに、付属品がイヤホンコードまたはヘッドホンコードであることを特徴とする請求項１または請求項５に記載の包装箱。
【発明の詳細な説明】
【技術分野】
【０００１】
本発明は包装箱に係り、とくに側板の上端に連設された補助板を内側に折込んで付属品の収納空間を形成するようにした包装箱に関する。
【背景技術】
【０００２】
電子機器等の物品を物流に供するために、例えば実公昭６１−１０５９号公報に開示されているような包装装置が用いられる。この包装装置は、主物品を収納する包装箱の開口端に、この包装箱の一側板に連続するフラップを内側に折り曲げることにより上記一側板と対向する他側板まで達してなる断面略コ字状をなす補助物品収納部を設け、上記他側板に当接する上記フラップの当接部に溝部を穿設し、上記フラップの当接部が当接する上記他側板に上記補助物品収納部に補助物品を収納した際にこの補助物品収納部の落下を防止する上記溝部に挿入係合する内側に突出した切欠き舌片を設けた包装装置が開示されている。
【０００３】
このような包装装置は、電子機器等の主物品が収納保持される包装箱内に、この電子機器の付属品等を収納するための補助物品収納部を設け、この部分に補助物品を収納することができるようにしたものである。しかるにここでは、補助物品として各種の寸法のものが存在し、その中の任意の寸法のものを収納保持するようにはなっていないために、例えば寸法の小さな補助物品を収納すると、包装された状態で補助物品が移動する可能性がある。
【０００４】
またポータブル式ＣＤプレーヤ等の携帯用音響機器を物流に供するために、従来は図１０に示すような包装箱が用いられている。この包装箱は前面側の側板の上端に補助板１を連設し、この補助板１の先端側をＬ字状に折曲げて補助板１の先端側の部分が底面となるような収納用凹部２を形成し、この収納用凹部２内に付属品、例えばこのＣＤプレーヤに用いる電源コード３を収納するようにしていた。そして電源コード３を収納した後に、補助板１の上側に補助フラップ４を重合わせ、さらに蓋板５によって閉じるようにしていた。
【０００５】
すなわちここでは、段ボール等の紙製の包装箱であって、折曲げることによって直方体状に組立てられるような包装箱が用いられており、蓋板５を開くと図１０に示すような状態になっており、補助板１の先端側の凹状になっている収納用凹部２に電源コード３のような付属品を収納するようにしている。ここで電源コード３は、出荷先の地域あるいは国によって先端側のプラグ形状や長さが異なっており、従って梱包される電源コード３の折畳み時の寸法が異なっていた。
【０００６】
一般に包装箱は、電源コード３の寸法に合わせて設計される。すなわちこの包装箱の内部において、電源コード３の長さ方向の両端と側板との間に空間が生じ、このような空間があるために、輸送時に振動を受けてこの包装箱の内部で電源コード３が移動することが予想され、場合によっては包装箱の破損や、あるいはまたＣＤプレーヤ等の製品の破損の可能性も生ずる。そこでとくに寸法が小さかったり、あるいはまた小型の電源コードを収納する場合には、エアクッションシート等のクッション材によって電源コード３を包んで収納するようにするか、電源コード３の種類に応じて、包装箱の寸法を代えたものを用意するようにしている。
【０００７】
短い電源コードについて、エアクッションシート等の緩衝材を追加すると、梱包部品点数が増加することになる。一方電源コードの種類に応じて、包装箱を使い分けるようにした場合には、包装箱の種類が増加することになる。また梱包部品が増加すると梱包部品の管理工数が増加する。また包装箱の種類を増加させる場合には、新規設計の工数や評価検討工数が増加し、あるいはまた新たに発生する。また付属品の種類や寸法が多くなると、さらに部品点数や種類も増加し、これによって梱包のコストが増大する問題がある。
【特許文献１】実公昭６１−１０５９号公報
【特許文献２】実開昭６３−８２７１７号公報
【特許文献３】実開昭５８−１６３４３０号公報
【発明の開示】
【発明が解決しようとする課題】
【０００８】
本願発明の課題は、付属品の種類や寸法が異なっても、なお梱包部品が増加することがないようにした包装箱を提供することである。
【０００９】
本願発明の別の課題は、複数種類の包装箱を用意することなく、単一の種類の包装箱によって、付属品の種類あるいは寸法が異なる付属品と共通の電子機器とを一緒に包装できるようにした包装箱を提供することである。
【００１０】
本願発明のさらに別の課題は、付属品の種類や寸法が異なっても、梱包の作業性が低下しないようにした包装箱を提供することである。
【００１１】
本願発明のさらに別の課題は、内部空間の範囲内であれば、梱包される付属品の種類や寸法を限定することなく梱包できるようにした包装箱を提供することである。
【００１２】
本願発明のさらに別の課題は、収納された付属品が内部で移動することがないようにした包装箱を提供することである。
【００１３】
本願発明の上記の課題および別の課題は、以下に述べる本願発明の技術的思想、およびその実施の形態によって明らかにされる。
【課題を解決するための手段】
【００１４】
本願の主要な発明は、側板の上端に連設された補助板を内側に折込んで付属品の収納空間を形成するようにした包装箱において、
前記補助板が連設されている側板に隣接する両側の側板の上端に連設されている補助フラップまたは前記補助板の先端側のコーナの部分を斜めに折曲げ、該斜めの折曲げ部分によって前記収納空間内に収納される付属品の位置規制を行なうようにしたことを特徴とする包装箱に関するものである。
【００１５】
ここで、前記補助フラップまたは前記補助板の先端側のコーナの部分の折曲げ角度が前記補助フラップまたは前記補助板の先端部または側端縁に対して４５度の角度であることが好ましい。また互いに対向する一対の補助フラップの内の一方または両方の先端側のコーナの部分を斜めに折曲げてよい。また前記補助板の先端側の一方または両方のコーナの部分を斜めに折曲げ、該折曲げ部分の内側に付属品を収納するようにしてよい。
【００１６】
本願の別の主要な発明は、側板の上端に連設された補助板を内側に折込んで付属品の収納空間を形成するようにした包装箱において、
前記補助板が連設されている側板に隣接する両側の側板の上端に連設されている補助フラップまたは前記補助板の先端側のコーナの部分を斜めに折曲げるとともに、前記補助板に折返し片を連設し、前記斜めの折曲げ部分と前記折返し片とによって前記収納空間内に収納される付属品の位置規制を行なうようにしたことを特徴とする包装箱に関するものである。
【００１７】
ここで、前記折返し片が前記補助板の先端部であって幅方向のほぼ中央部に形成されてよい。また電子機器が収納されるとともに、付属品が電源コードであってよい。また音響機器が収納されるとともに、付属品がイヤホンコードまたはヘッドホンコードであってよい。
【００１８】
本願発明の好ましい態様は、ポータブルＣＤプレーヤ等の携帯用音響機器を工場から出荷し、輸送し、販売する際に使用される包装箱の構造に関するものであって、付属品を収納するための収納空間を画成する補助板の両側の補助フラップまたは補助板の先端側のコーナの部分を斜めに折曲げ、このような斜めの折曲げ部分によって収納空間内に収納される付属品の位置規制を行なうようにしたものであって、出荷先の国や地域等によって種類や寸法の異なる付属品を梱包する条件下において、輸送時に発生する振動や衝撃に対する製品の安定保持機能には悪影響を与えることなく、また梱包部材の部品点数を増加させることなく、梱包部材の種類も増加させずに共通使用可能となるようにしたものである。
【００１９】
このような態様によると、同一梱包形状に統一されることによって、加工効率が向上し、部品点数の増加によるコストアップを回避できるだけでなく、現状コストよりもさらにコストを低減することが可能になる。また梱包作業や部品精度の管理工数の低減が可能になる。さらには包装箱の設計工数が削減されるようになる。また評価工数も低減し、統一形状による安定品質が提供されることになる。さらに、ユーザが購入後に廃棄されると思われる梱包部材の数量を低減し、地球環境への悪影響も抑えることが可能になる。
【発明の効果】
【００２０】
本願の主要な発明は、側板の上端に連設された補助板を内側に折込んで付属品の収納空間を形成するようにした包装箱において、補助板が連設されている側板に隣接する両側の側板の上端に連設されている補助フラップまたは補助板の先端側のコーナの部分を斜めに折曲げ、該斜めの折曲げ部分によって収納空間内に収納される付属品の位置規制を行なうようにしたものである。
【００２１】
従ってこのような包装箱によると、補助板を内側に折込んで画成される収納空間内に収納される付属品は、補助フラップまたは補助板の先端側のコーナの部分の斜めの折曲げ部分によって位置規制されるとともに、斜めの折曲げ部分によって、各種の寸法の付属品を安定的に保持できるようになる。
【００２２】
本願の別の主要な発明は、側板の上端に連設された補助板を内側に折込んで付属品の収納空間を形成するようにした包装箱において、補助板が連設されている側板に隣接する両側の側板の上端に連設されている補助フラップまたは補助板の先端側のコーナの部分を斜めに折曲げるとともに、補助板に折返し片を連設し、斜めの折曲げ部分と折返し片とによって収納空間内に収納される付属品の位置規制を行なうようにしたものである。
【００２３】
従ってこのような包装箱によると、補助フラップまたは補助板の先端側のコーナの部分を斜めに折曲げた折曲げ部分と折返し片とによって、収納空間内に収納される物品の位置規制が行なわれ、とくに斜めの折曲げ部分によって、寸法の異なる付属品を安定的に収納保持できるようになる。
【発明を実施するための最良の形態】
【００２４】
図１は本実施の形態の包装箱を組立てるための段ボール原紙を展開して示したものである。ここで、段ボール原紙は、その段目が縦方向に延びるように用いられる。そして段ボール原紙は４枚の側板１１、１２、１３、１４を備え、これらの側板１１〜１４が折曲げ線１５を介して折曲げ可能に連結されている。そして側板１１の左端側には折曲げ線１６を介して接合片１７が接合されている。
【００２５】
側板１３の下端には底板２０が折曲げ線２１を介して折曲げ可能に連結されるとともに、この底板２０の先端側の部分に折曲げ線２２を介して挿入片２３が連設されている。なお折曲げ線２２の長さ方向の中間位置にはスリット２４が形成され、このスリット２４が、側板１１の下端に連設されるロック片２５を受入れるようになっている。また側板１２、１４の下端にはそれぞれ折曲げ線２７を介して補助フラップ２８が連設される。
【００２６】
側板１３の上端には、蓋板３２が折曲げ線３３を介して折曲げ可能に連設される。この蓋板３２の先端部には折曲げ線３４を介してロック用補助板３５が連設されるとともに、このロック用補助板３５の根元部分にスリット状挿入口３６が形成されるようになっている。そして上記スリット状挿入口３６に、側板１１の上端側の部分に連設されるロック片３７が挿入されるようになっている。ロック片３７の根元側の部分にはスリット３８が形成され、このスリット３８が上記ロック用補助板３５を受入れて、ロック片３７とロック用補助板３５とが互いに交錯するようにしている。
【００２７】
側板１２、１４の上端には折曲げ線４１を介して補助フラップ４２が連設されている。これらの補助フラップ４２は、その肩の部分が斜め４５度に切欠かれて切欠き４３を形成している。また補助フラップ４２の切欠き４３が形成される肩部とは反対側の肩部であって、その先端側のコーナの部分が斜めの折曲げ線４４によって斜めに折曲げられるようになっている。斜めの折曲げ線４４は、補助フラップ４２の先端部および側端部に対して４５度の角度をなしている。従って斜めの折曲げ線４４によって、その先端側に直角三角形状をなす三角形の部分４５が形成されることになる。この三角形の部分４５は、斜めの折曲げ線４４の両端と対応する位置における角度が４５度をなしている。
【００２８】
側板１１の上端には、折曲げ線４７を介して補助板４８が連設されている。そして補助板４８には、補助板４８の幅方向に延びる一対の折曲げ線４９、５０が所定の間隔を隔てて形成されている。これらの折曲げ線４９、５０間の間隔が、後述する付属品の収納空間の高さ方向の寸法に相当する。そして補助板４８の折曲げ線５０の先端側の部分が保持板５１になっており、この保持板５１の部分で、付属品を収納するようにしている。なお保持板５１の先端側にはその幅方向のほぼ中央部に互いに平行に一対の切込み５２が形成されるようになっている。これらの切込み５２の終端は折曲げ線５３によって連結されている。そして切込み５２と折曲げ線５３とによって画成されるように折返し片５４が形成されることになる。
【００２９】
次にこのような構成に係る段ボール原紙による包装箱の組立て動作を図２によって説明する。上記側板１１〜１４を折曲げ線１５によって互いに折曲げるとともに、接合片１７を折曲げ線１６によって折曲げて反対側の側板１４の側端部に糊付して接合する。そして底部開口を、補助フラップ２８と底板２０とによって閉じるようにする。すなわちまず側板１２、１４の下端側の部分の折曲げ線２７のところで補助フラップ２８を内側に折曲げる。そしてこの後に、側板１３の下端側の底板２０を折曲げ線２１のところで折曲げるようにし、補助フラップ２８に重合わせるとともに、側板１１の下端側の部分に挿入片２３を挿入する。そして挿入片２３の根元部分のスリット２４に側板１１の下端側のロック片２５を挿入してロックする。これによって底部開口が閉塞される。
【００３０】
このような状態で、主要な物品、例えばポータブル式のＣＤプレーヤをこの包装箱内に収納する。そしてこの後に、付属品を収納するために、補助板４８を図２に示すように、折曲げ線４７のところで折曲げる。すなわち補助板４８を折曲げ線４７のところで折曲げるようにし、さらに一対の折曲げ線４９、５０によって補助板４８の中間部分を折曲げるようにし、補助板４８の先端側の保持板５１の部分で付属品の収納空間を画成する。図３はこのような補助板４８によって電源コード等の収納部を形成した状態を示している。
【００３１】
ここで、とくに図４および図５に示すように、補助板４８の両側であって、側板１２、１４の上端に形成されている補助フラップ４２を折曲げ線４１のところで内側に折曲げるようにし、補助板４８の上面に重合わせる。しかも補助フラップ４２の斜めの折曲げ線４４によってこの補助フラップ４２の先端側の一方の側端を直角に折曲げるようにし、上記補助板４８の先端側の保持板５１の上面に接するように折曲げる。これによって図５に示すように、ほぼ台形状をなす付属品の収納空間が形成されることになる。
【００３２】
このような付属品の収納空間内に、図５に示すように電源コード５８が収納される。図６はより短い別の種類の電源コード６１を収納する状態を示している。図７は電源５８、６１よりもさらに短いイヤホンコード６３を収納した状態を示している。
【００３３】
図８は上述の電源コード５８、６１、およびイヤホンコード６３を示している。電源コード５８は、折曲げて引揃えたときの長さがＬ１で、その両端にプラグ５９とジャック６０とが接続される。また電源コード６１は、同長さがＬ２で、上記電源コード５８のプラグ５９とは形状および寸法が異なるプラグ６２が接続される。またイヤホンコード６３の場合には、同長さがＬ３で、その両端にイヤホン６４とプラグ６５とが接続される。
【００３４】
このように本実施の形態の包装箱は、蓋板３２を開放した場合に補助板４８の上側に位置する補助フラップ４２にそれぞれ斜めの折曲げ線４４を形成し、折曲げ線４４の先端側の三角形の部分が補助板４８の先端側の保持板５１上に突起状に延出されるようにしている。
【００３５】
このような三角形の部分４５を備える包装箱内に電源コード５８、６１を収納した場合には、図５および図６に示すようになる。上記の三角形の部分４５によって、保持板５１の上部であって両側の三角形の部分４５によって画成される領域が、図５〜図７に示すように、その下端側から上端側へゆくに従ってＷ１からＷ２となるように、次第に幅が狭くなるような台形状の空間を形成している。このような台形状の空間によって、包装箱の両側の内壁間の距離と電源コード５８、５９の寸法との間に高精度の寸法の一致を必要とせず、折曲げて揃えたときの寸法がＷ１からＷ２であれば、電源コード５８、６１の寸法に限定されない多種類にわたる寸法のコードを保持板５１上に隙間あるいは空間を発生させることなく収納可能になる。このときに包装箱は、エアクッションシート等の梱包用の追加部品を必要とせず、また梱包材料の種類も増加することなく、複数種類の電源コード５８、６１の安定格納が実現される。
【００３６】
図７は補助板４８の保持板５１に形成された一対の切込み５２の先端側の折曲げ線５３の部分で切込み５２間を折曲げて折返し片５４を上方に突出させた構成を示している。この場合には、保持板５１上であって、両側の三角形の部分４５によってイヤホンコード６３はその長さ方向の両端が規制されるとともに、長さ方向の中間部分が折返し片５４によって規制されることになる。従ってとくに小さな付属品については、このような折返し片５４による保持構造あるいは規制構造を追加することによって、より安定的に付属品の収納保持が可能になる。
【００３７】
次に別の実施の形態を図９によって説明する。この実施の形態は、側板１２、１４の上端の補助フラップ４２に斜めの折曲げ線４４を形成する代わりに、補助板４８の先端側の部分に斜めの折曲げ線６８を形成したものである。図１において鎖線で示すように、補助板４８の先端側であってその両側の部分に角度が４５度の斜めの折曲げ線６８を形成し、このような折曲げ線６８によって、図９に示すように、三角形の部分６９を保持板５１の両側にそれぞれ形成するようにしている。従ってこの場合には、上記保持板５１上であって両側の三角形の部分６９の間が付属品の収納空間になる。このような構成においても、上から見るとほぼ台形状の収納空間が形成され、これによって互いに異なる寸法の電源コード５８、６１、あるいはイヤホンコード６３を収納することが可能になる。従って上記実施の形態とほぼ同様の作用効果を奏することが可能になる。
【００３８】
以上本願発明を図示の実施の形態によって説明したが、本願発明は上記実施の形態によって限定されることなく、本願発明の技術的思想の範囲内において各種の変更が可能である。例えば上記実施の形態における付属品の収納空間の長さ、幅、および深さは、収納される付属品の寸法あるいは形状に応じて任意に設計変更可能である。
【産業上の利用可能性】
【００３９】
本願発明は、ポータブルＣＤプレーヤ等の音響機器を、付属品とともに収納して物流に供するのに用いられる包装箱に適用することが可能である。
【図面の簡単な説明】
【００４０】
【図１】包装箱を構成する段ボール原紙の展開平面図である。
【図２】同包装箱の組立て斜視図である。
【図３】同包装箱内に、付属品の収納空間を形成した状態の斜視図である。
【図４】付属品の収納空間を示す反対側から見た斜視図である。
【図５】同平面図である。
【図６】別の電源コードを収納した状態の図５と同様の平面図である。
【図７】イヤホンコードを収納した状態の図５と同様の平面図である。
【図８】付属品を構成する電源コードおよびイヤホンコードの平面図である。
【図９】別の実施の形態の構成に係る包装箱の組立て斜視図である。
【図１０】従来の包装箱の形状を示す組立て斜視図である。
【符号の説明】
【００４１】
１…補助板、２…収納用凹部、３…電源コード、４…補助フラップ、５…蓋板、１１〜１４…側板、１５、１６…折曲げ線、１７…接合片、２０…底板、２１…折曲げ線、２２…折曲げ線、２３…挿入片、２４…スリット、２５…ロック片、２７…折曲げ線、２８…補助フラップ、３２…蓋板、３３…折曲げ線、３４…折曲げ線、３５…ロック用補助板、３６…スリット状挿入口、３７…ロック片、３８…スリット、４１…折曲げ線、４２…補助フラップ、４３…切欠き、４４…斜めの折曲げ線、４５…三角形の部分、４７…折曲げ線、４８…補助板、４９、５０…折曲げ線、５１…保持板、５２…切込み、５３…折曲げ線、５４…折返し片、５８…電源コード、５９…プラグ、６０…ジャック、６１…電源コード、６２…プラグ、６３…イヤホンコード、６４…イヤホン、６５…プラグ、６８…斜めの折曲げ線、６９…三角形の部分
【図１】
2008150075.tif 000003
【図２】
2008150075.tif 000004
【図３】
2008150075.tif 000005
【図４】
2008150075.tif 000006
【図５】
2008150075.tif 000007
【図６】
2008150075.tif 000008
【図７】
2008150075.tif 000009
【図８】
2008150075.tif 000010
【図９】
2008150075.tif 000011
【図１０】
2008150075.tif 000012